(57)【要約】【課題】  レンズ表面をスムースにクリーニングでき、確固として取り付けされる高速回転ドライブ対応型のクリーニングディスクを提供すること。【解決手段】  ディスクの回転方向に一対の小孔を穿ち、ディスク上面より、柔軟な細毛群からなる糸状体の左右を小孔に挿通する。小孔より突出した糸状体の左右垂下部をディスク下面より所定の同一長さに設定し、ディスク上面に位置する糸状体の水平面を小片で仮接着し、小片の上面より、該小片よりも大形で裏面に接着剤を施した押え片によって固定する。【選択図】          図３
0003108919.tif 000002
【実用新案登録請求の範囲】
【請求項１】
ディスクの回転方向に一対の小孔を穿ち、ディスク上面より、柔軟な細毛群からなる糸状体の左右を前記一対の小孔に挿通するとともに、小孔より突出した糸状体の左右垂下部をディスク下面より夫々所定の同一長さに設定し、ディスク上面に位置する糸状体の水平面を接着剤付きの小片で仮接着し、しかして小片の上面より、該小片よりも大形で裏面に接着剤を施した押え片によって固定することを特徴とする高速回転ドライブ対応型クリーニングディスク。
【請求項２】
ディスク下面に突出した糸状体の左右垂下部を、２．５ミリ程度の長さとした請求項１記載の高速回転ドライブ対応型クリーニングディスク。
【考案の詳細な説明】
【技術分野】
【０００１】  本考案は、ＣＤ−ＲＯＭ等の高速回転ドライブにも対応するクリーニングディスクに関する。
【背景技術】
【０００２】  ＣＤ（コンパクトディスク）のピックアップレンズを清掃するために、レンズ表面に接触する、ブラシを取り付けたディスク型のクリーナーが種々提案されている。例えば実用新案登録第２５４６５７４号に記載された技術もその一つである。この技術はレンズ表面に付着したほこりがブラシによって払拭できるとしたものであり、主として音楽用ＣＤ向けの利用に供されている。ところで近時はＣＤ以外にもＣＤ−ＲＯＭ、ＤＶＤ−ＲＯＭといった高速回転するドライブの普及に伴ってそれらにふさわしい形のブラシの出現も見られる（例えば特許文献１参照）。
【特許文献１】登録実用新案第３０５２９６９号公報
【考案の開示】
【考案が解決しようとする課題】
【０００３】  前記公報に開示された技術は、ディスクにあけた一対の小孔に門形の糸状物からなる清掃体を取り付け、清掃体の背部をテープ片で固定したものであって、ディスクが回転することで清掃体がピックアップレンズに触れてレンズ表面のほこりが吹き払われることを所期したものである。清掃体が一対の小孔から突出した糸状物のため、ブラシ型と異なってレンズへの接触面が少なく、したがっていたずらに信号を切断するといった懸念はないものゝ十分な清掃ができなかったり、糸状物の突出具合や構成素材によっては特に高速回転するＣＤ−ＲＯＭのようなドライブでは頗る微妙に反応するために装置にも影響を与える恐れなしとしない。それゆえレンズへの接触度合は極めて重要であり、また回転する糸状物によって静電気の発生などがあることは極力回避しなければならない。【０００４】  しかして上記技術は清掃体の背部にテープ片を直接接着するものであり、その場合テープ片を接着する前の清掃体は固定状態ではないため接着力のあるテープ片が触れると多少動いてディスクより垂下した門形糸状物の左右の突出長さが必ずしも同一とはならない恐れがあるのと、上面から見ると清掃体は一本の線となるのでテープ片が所期する位置に固定しにくいといった不具合がある。【０００５】  本考案は上記した従来の事情に鑑みて、門形糸状体の左右が同一長さに突出してレンズ表面のほこりが確実に払拭でき、また糸状体の突出長さが適切に設定されているためＣＤ−ＲＯＭなどの回転するドライブに適合してレンズの信号を切断したり回転に支障を生じることなくクリーニングがスムースにでき、更には糸状体を固定する押え片が所期する位置に確実に接着できるクリーニングディスクを提供しようとするものである。
【課題を解決するための手段】
【０００６】  そこで本考案は、ディスクの回転方向に一対の小孔を穿ち、ディスク上面より、柔軟な細毛群からなる糸状体の左右を前記一対の小孔に挿通するとともに、小孔より突出した糸状体の左右垂下部をディスク下面より夫々所定の同一長さに設定し、ディスク上面に位置する糸状体の水平面を接着剤付きの小片で仮接着し、しかして小片の上面より、小片よりも大形で裏面に接着剤を施した押え片によって固定することを技術手段とするもので、糸状体の左右垂下部の長さは２．５ミリ程度とすることが望ましい。
【考案の効果】
【０００７】  糸状体の左右垂下部を夫々所定長さ（好ましくは２．５ミリ程度）に突出したことで、ピックアップレンズへの接触が適切でレンズへの負荷がかかり過ぎる恐れがなく、したがってＤＶＤやＣＤ−ＲＯＭといった高速回転するドライブの場合であっても表面を傷つけたり光の信号を切断する不具合や、それにともないディスクの回転に支障を生じるといった懸念がなく、また糸状体の左右２か所の垂下部によってレンズが２度清掃されることで汚れや埃が十分に払拭される。【０００８】  ディスク上面に位置する糸状体の水平面を、まず小片で仮接着することにより糸状体は不動状となってディスクにあけた小孔から突出した左右垂下部も同一長さを保ち、レンズへの接触度合が左右均等となるので常時正確なクリーニングができる。【０００９】  仮接着後、小片の上面より押え片で糸状体を接着固定すると糸状体は２重に固定されるので、高速回転を繰り返しても糸状体がディスクより抜け出たり左右垂下部に長さの大小を生じる恐れがなく、また押え片を接着する際に小片が目印となるため押え片を正しい位置に体裁よく固定できる。
【考案を実施するための最良の形態】
【００１０】  図１において１は高速回転するディスクであり、回転方向に一対の小孔２・２を穿っている。１０は静電気を除去する繊維素材からなる柔軟な細毛群で構成した糸状体であり、糸状体１０の左右は前記ディスク１の上面より小孔２・２に挿通するので全体が門形状となる。なお上記糸状体１０には、日本蚕毛染色株式会社製のサンダーロン（商標）を使用している。【００１１】  ディスク１の小孔２・２に挿通した糸状体１０の左右はディスク１下面に突出して垂下部１１・１１となる。この垂下部１１・１１の長さＬはディスク１の下面から２．５ミリ（±０．２ミリ）程度であることが好ましく、これ以上の長さであるとピックアップレンズ４０との接触度合が大きくなるのでレンズ表面に負荷がかゝり過ぎる恐れがあり、またこれ以下の長さであると、レンズ４０との接触が弱くなって十分な汚れ除去ができない懸念がある。すなわち２．５ミリの長さは通常のＣＤは勿論、ＣＤ−ＲＯＭやＤＶＤ等の高速回転するドライブにも対応できる適切な長さであることが確認できている。【００１２】  図２において２０は糸状体１０の水平面をディスク１に仮接着するための透明な小片である。ディスク１の小孔２・２に挿通した糸状体１０の左右垂下部１１・１１の突出長さは同一となるが、小孔２・２に挿通しただけでは位置づれする恐れがあるので、小片２０で一旦仮接着する。小片２０はテトロン製で裏面に接着剤を施してあり、糸状体１０の水平面を覆うに相応しい楕円形状としてある。【００１３】  図３において３０は、小片２０よりも大形の布製押え片で、裏面に施した接着剤で小片２０の上面より、糸状体１０の水平面を接着固定するものである。糸状体１０は小片２０であらかじめ仮接着してあり、したがってこの押え片３０を小片２０の上面にあてがってディスク１に接着することにより糸状体１０は確固不動状となり、使用中に位置づれするような恐れはなく、左右の垂下部１１・１１は同じ突出長さを維持するのでクリーニングがスムースにできる。押え片３０によって当然ながら小片２０は外見されないので体裁がよく、また押え片３０をディスク１の上面より接着するにあたって小片２０が目印となるため所定の位置に確実に固定できる。【００１４】  上記のように構成された本考案は、ディスク１の回転とともに糸状体１０の左右垂下部１１・１１がピックアップレンズ４０の表面に夫々接触して付着した埃を払うので、レンズ４０は清浄に保たれて音声・画像の再生に乱れを生じることなく絶えず適切良好な状態での使用ができる。【００１５】  しかして糸状体１０、小片２０は前記した素材に拘束されず、押え片３０も、通常の布以外にも、例えば不織布、紙、合成樹脂のものなどを使用することができる。また一対の小孔２・２をディスク１に複数個所設けて複数本の糸状体１０を取り付けることもでき、更に再生用だけでなく記録のできる装置にも本考案は妥当する。なお実施形態等で糸状体１０の突出長さにつき２．５ミリ程度という具体的数値を示したが、本考案の目的効果を奏する範囲において今後の回転ドライブ装置に対応し、前記数値前後の値をも包含する。
【図面の簡単な説明】
【００１６】
【図１】ディスクにあけた小孔に糸状体を挿通した断面図である。
【図２】（ａ）は糸状体を小片で仮接着した断面図、（ｂ）は底面図である。
【図３】（ａ）は布片で糸状体を固定した平面図、  （ｂ）は断面図である。
【符号の説明】
【００１７】１    ディスク
２    小孔
１０  糸状体
１１  垂下部
２０  小片
３０  押え片
４０  ピックアップレンズ
【図１】
0003108919.tif 000003
【図２】
0003108919.tif 000004
【図３】
0003108919.tif 000005